(57)【要約】関節部の保護または故障防止、疲労軽減、または姿勢矯正効果を有するとともに、着用し易く、着用時の締付感および圧迫感を低減しうる衣類を提供する。本発明の衣類（１００）は、伸縮性を有する生地からなる本体部（１）と、着用者の関節または筋肉近傍に設置される張力付与部（２）と、を有し、張力付与部（２）は、本体部（１）の生地よりも伸縮性が小さい材料から形成、または本体部（１）の生地よりも伸縮性が小さくなるように形成され、凸部を有する形状をなす複数の構造部（２ａ〜２ｄ）からなり、構造部（２ａ〜２ｄ）の凸部が所定の間隔をあけて互いに対向するように配置されたことを特徴とする。
2013111880.tif 000002
【特許請求の範囲】
【請求項１】
伸縮性を有する生地からなる本体部と、
着用者の関節または筋肉近傍に設置される張力付与部と、
を有し、前記張力付与部は、前記本体部の生地よりも伸縮性が小さい材料から形成、または前記本体部の生地よりも伸縮性が小さくなるように形成され、凸部を有する形状をなす複数の構造部からなり、該凸部が所定の間隔をあけて互いに対向するように配置されたことを特徴とする衣類。
【請求項２】
少なくとも４つの前記構造部を有し、２つの前記構造部が着用者の膝関節の内側側副靭帯に沿うよう配置されるとともに、他の２つの前記構造部が膝関節の外側側副靭帯に沿うように配置されたことを特徴とする請求項１に記載の衣類。
【請求項３】
前記内側側副靭帯側の２つの前記構造部を凸部が互いに対向するように配置するとともに、前記外側側副靭帯側の２つの前記構造部を凸部が互いに対向するように配置することを特徴とする請求項２に記載の衣類。
【請求項４】
前記構造部の略中心部分に、着用者の膝関節に対応した位置への位置合わせを行なう位置合わせ部が形成されたことを特徴とする請求項２または３に記載の衣類。
【請求項５】
少なくとも２つの前記構造部が、着用者の第７胸椎〜第９胸椎近傍を中心として凸部が対向するように配置されたことを特徴とする請求項１に記載の衣類。
【請求項６】
少なくとも４つの前記構造部は、着用者の第７胸椎〜第９胸椎近傍を中心として矩形状に配置されるとともに、対角線上に位置する前記構造部の凸部がそれぞれ対向することを特徴とする請求項５に記載の衣類。
【請求項７】
２つの前記構造部が、着用者の上腕三頭筋近傍に配置されたことを特徴とする請求項１に記載の衣類。
【請求項８】
前記構造部の形状はＶ字状またはＵ字状であることを特徴とする請求項１〜７のいずれか一つに記載の衣類。
【請求項９】
前記構造部は、前記本体部と同一素材または別素材の当て布または樹脂からなることを特徴とする請求項１〜８のいずれか一つに記載の衣類。
【請求項１０】
前記構造部は、織密度または編密度が局所的に高い高密度部として前記生地に形成されたことを特徴とする１〜８のいずれか一つに記載の衣類。
【請求項１１】
前記構造部は、熱圧着または縫着により配置されたことを特徴とする請求項９に記載の衣類。
【請求項１２】
前記構造部は、前記樹脂を前記生地に転写、プリントまたは塗布することにより形成されたことを特徴とする請求項９に記載の衣類。
【請求項１３】
肌着、下着、水着、スポーツ用衣類、靴下類、外衣またはサポーターであることを特徴とする請求項１〜１２のいずれか一つに記載の衣類。
【発明の詳細な説明】
【技術分野】
【０００１】
本発明は、関節部の保護または故障防止、疲労軽減、姿勢矯正、および運動能力の向上を図る衣類に関する。
【背景技術】
【０００２】
従来、関節部の保護または故障防止、疲労軽減、姿勢矯正、および運動能力の向上を図る衣類として種々のものが提案されている。【０００３】
例えば、他の部位よりも強い緊締力を有する帯状の張力部が、後面上部において水平方向に略平行に延在するとともに、該水平方向の張力部を中心位置にて縦方向にさらに第３の張力部により連結した姿勢矯正用衣類が開示されている（例えば、特許文献１参照）。【０００４】
また、本体はソフトな伸縮特性を有する生地で構成され、膝、太腿、股関節、肩等の人体の腱の部分から筋腹の部分に亘る略筋繊維方向に沿って緊締力に優れたハードな伸縮特性を持つ強面状部分を充当することにより、体表面に密着して着用されるテーピング機能を有する被服が開示されている（例えば、特許文献２参照）。【０００５】
さらに、膝の外面側に配置されて外膝部をサポートする外膝サポート部分と、内側部分および前部分の外面側に配置され先端が外膝サポート部分の先端と離間して内膝部をサポートする内膝サポート部分とを備え、両サポート部分を他の部分よりも伸びが強い強伸縮素材で形成したことを特徴とする下衣が開示されている（例えば、特許文献３参照）。【０００６】
さらにまた、伸縮性生地を使用した被服の伸びを拘束したい所定箇所に、当該伸びを拘束するための樹脂が付与されてなる被服において、該樹脂を、伸びの拘束を強く必要とする部分から、伸びの拘束を小さくしたい部分に亘って密から粗に付与したことを特徴とする被服が開示されている（例えば、特許文献４参照）。【０００７】
また、本体部よりも伸びの小さい第一緊迫部を、着用者の左右の肩背部と上腕との境界部分に跨る三角筋に配置した衣類が開示されている（例えば、特許文献５参照）。
【先行技術文献】
【特許文献】
【０００８】
【特許文献１】特開２００６−３２０６４０号公報
【特許文献２】特開平０４−３４３８６８号公報
【特許文献３】特開平１０−１１０３０６号公報
【特許文献４】実開平０５−０００７０５号公報
【特許文献５】国際公開２０１０／０５０５４０号
【発明の概要】
【発明が解決しようとする課題】
【０００９】
しかしながら、特許文献１は、背面の水平方向に略平行に延在する張力部を設けることにより姿勢矯正ができるものの、強い緊締力を有する張力部を幅方向の略半分の長さに亘り設けているため、幅方向に伸縮し難いため着脱がしづらく、また、背中の上側領域全体の締付感が強くなるため、着用時に強い圧迫を感じやすいものであった。【００１０】
また、特許文献２の被服においても、人体の腱の部分から筋腹の部分に亘る略筋繊維方向に沿って緊締力に優れたハードな伸縮特性を持つ強面状部分が充当されるため、特許文献１と同様に伸縮し難いため着脱がしづらく、着用時に強い圧迫を感じやすいものであった。【００１１】
さらに、特許文献３も、膝周囲の略半分に亘って強い強伸縮素材で形成された外膝サポート部分と内膝サポート部分とするとともに、外膝サポート部分と内膝サポート部分は強い強伸縮素材で形成された外側部分と一体となるよう接続されるため、さらに伸縮し難く、着脱性が低いものであり、着用時に強い圧迫を感じやすいものであった。【００１２】
また、特許文献４の被服は、拘束力をもたらす樹脂の生地への付与量により拘束力をコントロールすることができ、着用感の低下も抑制できるものの、あくまで身体の整形を目的とするものであって、２つ以上の構造部の凸部を所定の間隔をあけて対向するように配置することにより、関節部の保護または故障防止、疲労軽減、姿勢矯正、および運動能力の向上を図る本発明とは構成及び効果を異にするものである。【００１３】
さらにまた、特許文献５の衣類は、着用者の背部三角筋に相当する部位に伸び率が小さい緊迫部を配置することにより、締付感を発生することなく、着用者は背部三角筋を常に意識でき、これにより肩甲骨を互いに近接するように誘導でき、背筋を伸ばすことができるものであるが、２つ以上の構造部の凸部を所定の間隔をあけて対向するように配置する本発明とは構成を異にするものである。【００１４】
本発明は、上記に鑑みてなされたものであって、関節部の保護または故障防止、疲労軽減、または姿勢矯正効果を有するとともに、着用し易く、着用時の締付感および圧迫感を低減しうる衣類を提供することを目的とする。
【課題を解決するための手段】
【００１５】
上述した課題を解決し、目的を達成するために、本発明の衣類は、伸縮性を有する生地からなる本体部と、着用者の関節または筋肉近傍に設置される張力付与部と、を有し、前記張力付与部は、前記本体部の生地よりも伸縮性が小さい材料から形成、または前記本体部の生地よりも伸縮性が小さくなるように形成され、凸部を有する形状をなす複数の構造部からなり、該凸部が所定の間隔をあけて互いに対向するように配置されたことを特徴とする。【００１６】
また、本発明の衣類は、上記発明において、少なくとも４つの前記構造部を有し、２つの前記構造部が着用者の膝関節の内側側副靭帯に沿うよう配置されるとともに、他の２つの前記構造部が膝関節の外側側副靭帯に沿うように配置されたことを特徴とする。【００１７】
また、本発明の衣類は、上記発明において、前記内側側副靭帯側の２つの前記構造部を凸部が互いに対向するように配置するとともに、前記外側側副靭帯側の２つの前記構造部を凸部が互いに対向するように配置することを特徴とする。【００１８】
また、本発明の衣類は、上記発明において、前記構造部の略中心部分に、着用者の膝関節に対応した位置への位置合わせを行なう位置合わせ部が形成されたことを特徴とする。【００１９】
また、本発明の衣類は、上記発明において、少なくとも２つの前記構造部が、着用者の第７胸椎〜第９胸椎近傍を中心として凸部が対向するように配置されたことを特徴とする。【００２０】
また、本発明の衣類は、上記発明において、少なくとも４つの前記構造部は、着用者の第７胸椎〜第９胸椎近傍を中心として矩形状に配置されるとともに、対角線上に位置する前記構造部の凸部がそれぞれ対向することを特徴とする。【００２１】
また、本発明の衣類は、上記発明において、２つの前記構造部が、着用者の上腕三頭筋近傍に配置されたことを特徴とする。【００２２】
また、本発明の衣類は、上記発明において、前記構造部の形状はＶ字状またはＵ字状であることを特徴とする。【００２３】
また、本発明の衣類は、上記発明において、前記構造部は、前記本体部と同一素材または別素材の当て布または樹脂からなることを特徴とする。【００２４】
また、本発明の衣類は、上記発明において、前記構造部は、織密度または編密度が局所的に高い高密度部として前記生地に形成されたことを特徴とする。【００２５】
また、本発明の衣類は、上記発明において、前記構造部は、熱圧着または縫着により配置されたことを特徴とする。【００２６】
また、本発明の衣類は、上記発明において、前記構造部は、前記樹脂を前記生地に転写、プリントまたは塗布することにより形成されたことを特徴とする。【００２７】
また、本発明の衣類は、上記発明において、肌着、下着、水着、スポーツ用衣類、靴下類、外衣またはサポーターであることを特徴とする。
【発明の効果】
【００２８】
本発明にかかる衣類は、着用し易く、着用時の締付感および圧迫感を低減しながら、関節部の保護または故障防止、疲労軽減、または姿勢矯正の効果を奏する。
【図面の簡単な説明】
【００２９】
【図１】図１は、本発明の実施の形態１にかかる衣類の（Ａ）概略正面図、（Ｂ）概略後面図である。
【図２】図２は、本発明の実施の形態１の張力付与部のバリエーションを示す図である。
【図３】図３は、本発明の実施の形態１の張力付与部のバリエーションを示す図である。
【図４】図４は、本発明の実施の形態１の変形例にかかる衣類の（Ａ）概略正面図、（Ｂ）概略後面図である。
【図５】図５は、本発明の実施の形態２にかかる衣類の（Ａ）概略正面図、（Ｂ）概略後面図である。
【図６】図６は、本発明の実施の形態２の張力付与部のバリエーションを示す図である。
【図７】図７は、本発明の実施の形態２の変形例にかかる衣類の（Ａ）概略正面図、（Ｂ）概略後面図である。
【図８】図８は、本発明の実施の形態３にかかる衣類の（Ａ）概略正面図、（Ｂ）概略後面図である。
【図９】図９は、本発明の実施の形態３の張力付与部のバリエーションを示す図である。
【発明を実施するための形態】
【００３０】
以下に、本発明にかかる衣類の実施の形態を図面に基づいて詳細に説明する。なお、この実施例によりこの発明が限定されるものではない。
【００３１】
（実施の形態１）
図１は、本発明の実施の形態１にかかる衣類の（Ａ）概略正面図、（Ｂ）概略後面図である。図２は、本発明の実施の形態１の張力付与部のバリエーションを示す図である。図１に示すように、実施の形態１にかかる衣類１００は、伸縮性を有する生地からなる本体部１と、着用者の膝関節４近傍に設置される張力付与部２と、を有する。張力付与部２は、本体部１の生地よりも伸縮性が小さい材料から形成、または本体部１の生地よりも伸縮性が小さくなるように形成された構造部２ａ、２ｂ、２ｃ、２ｄからなり、構造部２ａと２ｃ、構造部２ｂと２ｄの凸部が所定の間隔をあけて互いに対向するように配置されている。本明細書において、構造部の凸部が対向するとは、衣類１００を平面上に並べた際に凸部が向かい合うことを意味することに加え、衣類１００を着用時に凸部が向かい合うことを含む。
【００３２】
構造部２ａ、２ｂ、２ｃ、２ｄは、Ｖ字形状をなし、凸部である屈曲部から両端に向かって幅が細く形成されている。構造部２ａ、２ｂ、２ｃ、２ｄの大きさは、使用する材料の伸縮性等により適宜調整されるものであるが、屈曲部から端部までの長さは３〜１０ｃｍ、両端部の幅は２〜８ｃｍ、屈曲部の長さは１〜５ｃｍであることが好ましい。
【００３３】
実施の形態１にかかる衣類１００において、構造部２ａと２ｃ、構造部２ｂと２ｄの凸部の間隔は、着用者の年齢およびサイズにより変動するものであるが、１〜１０ｃｍであることが好ましい。凸部の間隔が１ｃｍ未満であると着脱がし難くなり、また、凸部の間隔が１０ｃｍを超えると、構造部の対向配置によるホールド力が低下する場合がある。
【００３４】
実施の形態１にかかる衣類１００において、構造部２ａおよび２ｃは、着用者の膝関節４の外側側副靭帯に沿うよう配置されるとともに、構造部２ｂおよび２ｄは、膝関節４の内側副側靭帯に沿うように配置される。構造部２ａ、２ｂ、２ｃ、２ｄを、膝関節５の外側側副靭帯および内側側副靭帯に沿うように配置することにより、衣類１００の着用者が膝関節４を屈曲させた際、膝関節４のホールド力を向上することができ、膝関節４を保護し、故障を防止することができる。また、実施の形態１にかかる衣類１００において、構造部２ａおよび２ｃ、構造部２ｂおよび２ｄを、凸部が所定の間隔をあけてそれぞれ対向するように配置することにより、構造部によるホールド力の低下を抑制しながら、伸縮性を担保することができ、着用しやすい構造とすることができる。
【００３５】
また、構造部２ａ、２ｂ、２ｃ、２ｄの略中心部分には、位置合わせ部３が形成されている。着用者は、衣類１００を着用した際、膝関節４の中心部に位置合わせ部３を位置合わせすることにより、構造部２ａ、２ｂ、２ｃ、２ｄを所定位置に簡易に配置することができる。本実施の形態１の衣類１００は、位置合わせ部３により、構造部２ａ、２ｂ、２ｃ、２ｄを所定位置に簡易に配置できるため、関節運動の際に、膝関節４のホールド力を安定して向上することができる。
【００３６】
張力付与部２の面積（構造部２ａ、２ｂ、２ｃ、２ｄの合計面積）は、１０〜３００ｃｍ２であることが好ましい。張力付与部２の面積は、張力付与部２の伸縮性により変動するが、より好ましくは３０〜１００ｃｍ２である。張力付与部２の面積が１０ｃｍ２未満であると、関節部のホールド力が少なくなる場合があり、３００ｃｍ２を超えると、着脱がし難くなるとともに、着用時の締付感や圧迫感が過大になりすぎる。
【００３７】
実施の形態１にかかる衣類１００において、本体部１の素材は、ポリエステル、ポリアミド等の合成繊維、レーヨン、綿等のセルロース繊維、ウール、絹等の天然繊維を適宜使用することができる。上記の素材は、交編、挿入、引き揃え等により混合して用いても良い。また、本体部１に伸縮性を付与するために、上記素材に伸縮素材を混合することが好ましい。混合する伸縮素材としては、ポリウレタン弾性繊維、ポリエステルエラストマー繊維、ＰＴＴ系複合加工糸（ポリトリメチレンテレフタレートを主成分とするサイドバイサイドのバイメタル糸）等を使用することができる。
【００３８】
また、本体部１の生地は、伸縮性を付与するためにニット素材が好適に用いられる。ニット素材には、経編素材と丸編素材とがあるが、伸縮性がよければいずれを採用しても良い。
【００３９】
本体部１の生地の伸度（％）は、２２．１Ｎ荷重時の伸度が１５０％以上であることが好ましく、１７０％以上であることがより好ましい。２２．１Ｎ荷重時の伸度が１５０％以上の生地を使用することにより、衣類１００の着脱時に手や腕にかかる負荷が少なく、容易に着脱ができ、着用時においても、締付感や圧迫感がなく、優れた着用快適性を発揮することができる。本明細書において、生地の伸度（％）は、生地の最も伸び易い方向をＡ方向、Ａ方向に垂直な方向をＢ方向とした場合、生地のＡ方向（伸び易い方向）に２２．１Ｎの荷重を付与した場合の生地の伸び率（％）により求められる。
【００４０】
本体部１の生地の３０％伸張時における伸縮力は、５〜４０ｃＮであることが好ましく、１０〜３０ｃＮであることがより好ましい。本明細書において、３０％伸張時における伸縮力は、以下の方法で測定する。３０％伸張時における伸縮力は、まず、最も伸び易い方向をＡ方向、Ａ方向に垂直な方向をＢ方向とした場合、Ａ方向に１６ｃｍ、Ｂ方向に２．５ｃｍとなる長方形のサンプル（本体部１の生地）を採取する。このサンプルをＪＩＳ  Ｌ１０１８のカットストリップ法に基づいて、つかみ間隔１０ｃｍでサンプルの両端を把持し、引っ張り試験機で０〜８０％伸縮処理を３回繰り返した後、３回目のアンロード時の３０％伸張時点の回復力、即ち収縮力を測定すればよい。
【００４１】
実施の形態１にかかる衣類１００において、本体部１の生地の目付量は１００〜２００ｇ／ｍ２であることが好ましい。１００ｇ／ｍ２未満であると、本体部１が透けやすくなるとともに破けやすくなり、２００ｇ／ｍ２を超えると、厚くなるとともに重くなるため、着用時に重量感やゴアつきが発生し、快適性を損なうことがある。本体部１の生地の目付量は、１２０〜１７０ｇ／ｍ２であることがさらに好ましい。
【００４２】
実施の形態１にかかる衣類１００において、本体部１への張力付与部２の形成は、以下の方法により行なうことができる。
【００４３】
張力付与部２が、本体部１に本体部１と同じ素材または異なる素材の当て布または樹脂を重ねて形成する場合、重ね合わせることにより本体部１より緊締力を高めることができる素材を選択する。張力付与部２を形成する当て布の素材としては、本体部１の素材として上記に例示したものを選択することができる。
【００４４】
樹脂接着剤を用いて当て布等を本体部１に接着する場合、樹脂接着剤としては、熱可塑性のホットメルト樹脂、例えば、ポリウレタン系、ポリエステル系、ポリオレフィン系、スチレン系のホットメルト樹脂を好適に使用することができる。張力付与部２は、樹脂接着剤を塗布した当て布を本体部１の所定位置に配置した後、熱圧着することにより形成することができる。
【００４５】
樹脂接着剤の塗布は、本体部１のゴアつきを防止し、本体部１と当て布等との張り合わせ部の通気性の確保のために、一面に塗布するのではなく、ドット状に塗布することが好ましい。
【００４６】
また、張力付与部２は、本体部１に設けた開口に、本体部１よりも緊締力が高い別素材で形成した当て布を充填配置して、本体部１と縫着して形成してもよい。
【００４７】
張力付与部２は、本体部１と同じ素材または異なる素材で織密度または編密度が局所的に高い高密度部としてもよい。高密度部とすることにより、該部分の伸びを小さくすることができる。編み方を変える方法としては、例えば、ループ長さを小さくする、ループの変形を抑制するためにシンカーループの本数を単位面積当たり増加する等の方法を採用することができる。異なる素材で張力付与部２を形成する場合には、本体部１の素材より伸びの小さい素材を使用して高密度部としたり、または熱溶融性糸を用いて編成後に加熱・硬化して張力付与部２を形成しても良い。
【００４８】
また、張力付与部２を樹脂で形成する場合、弾性樹脂を使用することが好ましく、例えば、シリコーン、ウレタン、アクリル、ナイロン等を選択することができる。
【００４９】
張力付与部２を樹脂で形成する場合、予め所定の形状に形成した樹脂の構造部を本体部１に転写したり、未硬化の樹脂を本体部１にプリントまたは塗布した後、硬化することにより形成すればよい。
【００５０】
張力付与部２は、本体部１の生地よりも伸縮性が小さい。具体的には、張力付与部２の３０％伸張時における伸縮力は、本体部１の生地の３０％伸張時における伸縮力の２倍以上１０倍以下とすることが好ましい。３倍以上８倍以下とすることがより好ましい。張力付与部２が、本体部１に当て布を重ねて形成されている場合は、張力付与部２のサンプルは、本体部１の生地と当て布とを重ね合わせた状態のもので測定する。また、Ａ方向とＢ方向とを変えて採取したサンプルの３０％伸張時における伸縮力も、本体部１の生地の３０％伸張時における伸縮力の２倍以上１０倍以下であることが好ましい。
【００５１】
張力付与部２は、図１に示すように、構造部２ａおよび２ｂ、構造部２ｃおよび２ｄを、凸部が所定の間隔をあけてそれぞれ対向するように配置するほか、図２の（Ａ）〜（Ｄ）に示すような個数、ならびに形状の構造部の配置により形成されても良い。図２（Ａ）〜（Ｄ）は、膝関節４に張力付与部２が設けられた場合の部分正面図である。
【００５２】
張力付与部２は、図２（Ａ）に示すように、構造部２ａおよび２ｃが着用者の膝関節４の外側側副靭帯近傍、構造部２ｂおよび２ｄが内側側副靭帯近傍であって、対角方向の構造部２ａおよび２ｄ、構造部２ｂおよび２ｃの凸部が所定の間隔をあけて対向するように配置されてもよい。
【００５３】
また、張力付与部２は、図２（Ｂ）に示すように、６つの構造部２ａ〜２ｆで構成され、構造部２ａおよび２ｄが着用者の膝関節４の外側側副靭帯近傍、構造部２ｃおよび２ｆが内側側副靭帯近傍、構造部２ｂおよび２ｅが膝関節４の上下にそれぞれ所定の間隔をあけて対向するように配置されていても良い。図２（Ｂ）では、構造部２ａ〜２ｆの凸部が、すべて中心部（位置合わせ部３）の方向となるように配置されているが、構造部２ａ〜２ｆ、構造部２ｃおよび２ｆの凸部が所定の間隔をあけて対向するように配置されてもよい。
【００５４】
さらに、張力付与部２は、図２（Ｃ）に示すように、膝関節４の外側側副靭帯近傍に配置される構造部２ａと、内側側副靭帯近傍に配置される構造部２ｂで構成されていても良い。張力付与部２を２つの構造部２ａおよび２ｂから構成する場合は、構造部２ａおよび２ｂの形状および面積を適宜調整することにより、関節部のホールド力や、着用性を調整すればよい。
【００５５】
さらにまた、張力付与部２は、図２（Ｄ）に示すように、膝関節４の上部に配置される構造部２ａと、下部に配置される構造部２ｂとにより構成されていても良い。
【００５６】
また、張力付与部２を構成する構造部の形状は、Ｖ字形状のほか、凸部を有するものであれば、図３（Ａ）〜（Ｈ）に示す構造であってもよい。
【００５７】
張力付与部２は、図３（Ａ）に示すように、楕円形状の構造部２ａ〜２ｄから構成されていても良く、図３（Ｂ）に示すように、２つの三角形状の構造部２ａおよび２ｂから構成されていてもよい。また、図３（Ｃ）に示すように、構造部２ａおよび２ｂをＵ字状に形成しても良い。
【００５８】
また、張力付与部２は、図３（Ｄ）に示すように、８つの構造部２ａ〜２ｈにより構成されていても良い。
【００５９】
さらに、張力付与部２は、図３（Ｅ）に示すように、屈曲部が円弧上の構造部２ａおよび２ｂから形成されていても良い。構造部の屈曲部の角度は、鋭角、直角、鈍角のいずれであってもよい。
【００６０】
さらにまた、張力付与部２を構成する構造部は、同一の形状のもので構成されるほか、凸部が所定の間隔をあけて対向するように配置されていれば、図３（Ｆ）〜（Ｈ）に示すように、異なる形状の構造部からなるものであっても良い。
【００６１】
実施の形態１にかかる衣類１００は、膝関節４の周囲に、本体部１の生地よりも伸縮性が小さくなる張力付与部２を、構造部２ａ〜２ｄの凸部が所定の間隔をあけて対向するように配置するように形成することにより、膝関節４のホールド力を保持しながら、着脱性にも優れるという効果を奏することが可能となる。
【００６２】
また、実施の形態１の変形例として、図４に示す衣類を例示することができる。図４は、本発明の実施の形態１の変形例にかかる衣類の（Ａ）概略正面図、（Ｂ）概略後面図である。実施の形態１の変形例にかかる衣類１０１は、肘関節５の近傍に張力付与部２が形成されている。図４では、張力付与部２を構成する構造部２ａおよび２ｂは、上腕側と前腕側にそれぞれ配置されているが、構造部２ａおよび２ｂを側副靭帯側にそれぞれ配置してもよい。
【００６３】
（実施の形態２）
実施の形態２にかかる衣類は、４つの構造部２ａ〜２ｄからなる張力付与部２が、着用者の第７胸椎〜第９胸椎近傍を中心として凸部が対向するように配置されている。図５は、本発明の実施の形態２にかかる衣類の（Ａ）概略正面図、（Ｂ）概略後面図である。図６は、本発明の実施の形態２の張力付与部のバリエーションを示す図である。以下、実施の形態２では、実施の形態１と異なる点についてのみ説明する。
【００６４】
実施の形態２にかかる衣類２００は、図５（Ｂ）に示すように、着用者の背中側に張力付与部２が形成されている。張力付与部２は、着用者の上半身の重心位置７、即ち、第７胸椎〜第９胸椎近傍に配置される。第７胸椎〜第９胸椎近傍は、背骨が最も曲がり易い関節部分であり、張力付与部２を第７胸椎〜第９胸椎近傍に配置することにより、着座、歩行、および立位時において、常に背骨が真っ直ぐになるようサポートすることができる。また、これにより体幹の安定性を高めることができるため、デスクワークのように長時間同一姿勢のまま作業する場合等において、疲労を軽減することが可能となる。
【００６５】
張力付与部２を構成する構造部２ａ〜２ｄは、Ｖ字形状の屈曲部の内側に、点群状の矩形体を配置した構造を有する。単なるＶ字形状であっても同様の効果を奏するものであるが、点群状の矩形体を更に付加することにより、伸縮性の調整を容易にするとともに、デザイン性も付加することが可能となる。
【００６６】
実施の形態２において、構造部２ａと２ｄの凸部、構造部２ｂと２ｃの凸部がそれぞれ所定の間隔をあけて対向するように配置されているが、図６（Ａ）に示すように、構造部２ａ〜２ｄが上半身の重心位置７を中心として対称となるとともに、構造部２ａと２ｃの凸部、構造部２ｂと２ｄの凸部がそれぞれ所定の間隔をあけて対向するように配置されていてもよい。張力付与部２を、構造部の凸部が所定の間隔をあけて対向するように配置することにより、体幹の安定性を保持しながら、着脱がし易く、かつ着用時にも圧迫感等の不快感を低減することが可能となる。また、図示しないが、上部に配置された構造部２ａと２ｂの凸部、下部に配置された構造部２ｃと２ｄの凸部がそれぞれ所定の間隔をあけて対向するように配置されていてもよい。
【００６７】
実施の形態２において、体幹の安定性等の効果の点で、４つの構造部２ａ〜２ｄを、各構造部２ａ〜２ｄの凸部が着用者の上半身の重心位置７に向くように配置することが好ましいが、図６（Ｂ）に示すように、２つの構造部２ａおよび２ｂを、凸部が所定の間隔をあけて上半身の重心位置７を向くように対向して配置しても、同様の効果を得ることができる。また、図６（Ｃ）に示すように、２つの構造部２ａおよび２ｃの凸部が所定の間隔をあけて上半身の重心位置７を向くように対向して配置されていれば、張力付与部２を構成する構造部の数は２または４に限定されるものではない。
【００６８】
実施の形態２にかかる衣類２００は、上半身の重心位置７の近傍に、本体部１の生地よりも伸縮性が小さくなる張力付与部２を、構造部２ａ〜２ｄの凸部が所定の間隔をあけて対向するように配置するように形成することにより体幹の安定性を高めることができるとともに、着脱性にも優れるという効果を奏することが可能となる。なお、実施の形態２で使用する構造部の形状は、図５〜図６のものに限定されるものではなく、実施の形態１で例示した形状（図３等に例示）を選択することも可能である。
【００６９】
また、実施の形態２の変形例として、図７に示す衣類を例示することができる。図７は、本発明の実施の形態２の変形例にかかる衣類の（Ａ）概略正面図、（Ｂ）概略後面図である。実施の形態２の変形例にかかる衣類２０１は、肩関節６の近傍に張力付与部２が形成されている。実施の形態２の変形例にかかる衣類２０１は、図７（Ｂ）に示すように、張力付与部２を構成する構造部２ａ〜２ｄを、肩関節６の近傍に配置することにより、実施の形態２と同様の効果を得ることが可能となる。
【００７０】
（実施の形態３）
実施の形態３にかかる衣類は、構造部２ａおよび２ｂからなる張力付与部２が、着用者の上腕三頭筋近傍に、凸部が対向するように配置されている。図８は、本発明の実施の形態３にかかる衣類の（Ａ）概略正面図、（Ｂ）概略後面図である。図９は、本発明の実施の形態３の張力付与部のバリエーションを示す図である。以下、実施の形態３では、実施の形態１および２と異なる点についてのみ説明する。
【００７１】
実施の形態３にかかる衣類３００は、図８（Ｂ）に示すように、着用者の上腕背部に張力付与部２が形成されている。張力付与部２は、着用者の上腕背部、すなわち上腕三頭筋近傍に、張力付与部２を、構造部２ａおよび２ｂの凸部が所定の間隔をあけて対向するように配置することにより、構造部２ａおよび２ｂの凸部間に帯状の伸び止め作用を発現させる。これにより、上腕背部の筋肉等の余分な振動を抑制し、パワーロスを低減することが可能となる。また、張力付与部２の配置位置は上腕の背部に限定されるため、上腕ニ頭筋の収縮を阻害することもない。
【００７２】
張力付与部２を構成する構造部２ａおよび２ｂは、所定の間隔をあけて対向するように配置されるため、筋振動を抑制するとともに、着脱がし易く、かつ着用時にも圧迫感等の不快感を低減することが可能となる。
【００７３】
また、張力付与部２は、構造部の凸部が対向するように配置されるものであれば、図９（Ａ）に示すように、４つの構造部２ａ〜２ｄにより構成されていてもよく、また、図９（Ｂ）に示すように、２つの構造部２ａおよび２ｂをその配置が斜めとなるように配置してもよい。
【００７４】
実施の形態３にかかる衣類３００は、上腕三頭筋の近傍に、本体部１の生地よりも伸縮性が小さくなる張力付与部２を、構造部２ａおよび２ｂの凸部が所定の間隔をあけて対向するように配置するように形成することにより、筋振動を抑制してパワーロスを低減できるとともに、着脱性にも優れるという効果を奏することが可能となる。なお、実施の形態３で使用する構造部の形状は、図８および図９のものに限定されるものではなく、実施の形態１で例示した形状（図３等に例示）を選択することも可能である。
【産業上の利用可能性】
【００７５】
以上のように、本発明にかかる衣類は、伸縮性を有する衣類に有用であり、特に、着脱が容易で、着用時の圧迫感もないことから、肌着、下着、水着、スポーツ用衣類、靴下類、外衣およびサポーター等の衣類に適している。
【符号の説明】
【００７６】
１  本体部
２  張力付与部
２ａ、２ｂ、２ｃ、２ｄ、２ｅ、２ｆ、２ｇ、２ｈ  構造部
３  位置合わせ部
４  膝関節
５  肘関節
６  肩関節
７  上半身の重心位置
１００、１００Ａ、１００Ｂ、１００Ｃ、１００Ｄ、２００、２００Ａ、２００Ｂ、３００、３００Ａ、３００Ｂ  衣類
【図１】
2013111880.tif 000003
【図２】
2013111880.tif 000004
【図３】
2013111880.tif 000005
【図４】
2013111880.tif 000006
【図５】
2013111880.tif 000007
【図６】
2013111880.tif 000008
【図７】
2013111880.tif 000009
【図８】
2013111880.tif 000010
【図９】
2013111880.tif 000011
【国際調査報告】
2013111880.tif 000012
2013111880.tif 000013